(57)【要約】      （修正有）【課題】納骨容易なる可動蓋体による墓石内カロート開閉構造を提供する。【解決手段】墓構成体の一部として、直方体形状の基部を設けるとともに、該基部内に納骨のための空隙部分としてのカロート下部７を形成し、該基部上方に位置する直方体形状の上台１０を設けるとともに、上台１０内部に空隙部分としてのカロート上部１１を設け、以上のカロート上部１１とカロート下部７にて連続空間としてのカロートを形成し、側面視Ｌ形のカロート蓋板１３を別設して、カロート蓋板１３の移動によるカロート入り口への当接にて、カロートの入り口部分の閉塞および開放を可能とするよう構成したことを特徴とする。【選択図】図２
0003203181.tif 000002
【実用新案登録請求の範囲】
【請求項１】
墓構成体の一部として、直方体形状の基部を設けるとともに、該基部内に納骨のための空隙部分としてのカロート下部を形成し、該基部上方に位置する直方体形状の上台を設けるとともに、該上台内部に空隙部分としてのカロート上部を設け、以上のカロート上部とカロート下部にて連続空間としてのカロートを形成し、側面視Ｌ形のカロート蓋板を別設して、該カロート蓋板の移動によるカロート入り口への当接にて、カロートの入り口部分の閉塞および開放を可能とするよう構成したことを特徴とする可動蓋体による墓石内カロート開閉構造。
【請求項２】
上台前方に、開閉蓋を有する供物台を設け、該供物台内方にカロート蓋板を収納可能としてなる請求項１記載の可動蓋体による墓石内カロート開閉構造。
【請求項３】
カロートを地面上方に位置させてなる請求項１または２記載の可動蓋体による墓石内カロート開閉構造。
【請求項４】
カロート蓋板に指入れ穴を設けてなる請求項１から３のいずれかの項に記載の墓石内カロート開閉構造。
【考案の詳細な説明】
【技術分野】
【０００１】  この考案は、墓石内のカロートを開閉する新規な手段に関する。
【背景技術】
【０００２】  従来より、墓には納骨所としてのカロートが設けられ、このカロートの入り口の開閉手段が設けられるが、そのほとんどは上方開口方式であって，本案に示すような側方開口方式は見当たらない。
【考案の概要】
【考案が解決しようとする課題】
【０００３】  上記のごとく、墓にはカロートが設けられ、このカロートを開閉する可動板が存在する。
墓内に骨を収納する場合や取り出すときは、この可動板を移動させて，開口より手を入れての作業となるのであるが、この可動板は不用意な移動を避けるために、それなりの大きさと重量を有している。そのために、この可動板の移動のための労力を要し、動かした可動板が石材に当たって損傷することのないよう注意深く行わなければならない。
また、この可動板を置く適当な場所の選定が必要であり、作業時にけがをしないための注意も必要となる。
本案は以上に鑑み、従来法に比べてより容易な作業にて目的を達することのできる手段を提供するべく発案されたものである。
【課題を解決するための手段】
【０００４】  課題を解決する手段として本案は以下の構成とした。
すなわち、墓構成体の一部として、直方体形状の基部を設けるとともに、該基部内に納骨のための空隙部分としてのカロート下部を形成し、該基部上方に位置する直方体形状の上台を設けるとともに、該上台内部に空隙部分としてのカロート上部を設け、以上のカロート上部とカロート下部にて連続空間としてのカロートを形成し、側面視Ｌ形のカロート蓋板を別設して、該カロート蓋板の移動によるカロート入り口への当接にて、カロートの入り口部分の閉塞および開放を可能とするよう構成する。
本案は以上の構成よりなる可動蓋体による墓石内カロート開閉構造である。
【考案の効果】
【０００５】  本案は下記の効果を有する。
１．従来法のようにカロート入り口開閉のための重い石材の移動が不要であるため、納骨  作業を小労力にて行うことができる。
２．カロート上部とカロート下部双方の入り口をＬ形蓋板にて同時に閉塞することができ  て、納骨時におけるカロート入り口を広く取ることができる。
３．開閉扉を有する供物台を上台前方に設けることにて、カロート蓋板をこの供物台内に  収納することができて、良好な外観とすることができる。
４．供物台を設けることにて、カロート入り口を雨風から保護することができる。
【図面の簡単な説明】
【０００６】
【図１】  本考案の構成説明図（他石材含む全体斜視図）
【図２】  本考案の要部構造説明図（中央縦断面表現・一部略）
【図３】  本考案に用いるカロート蓋板の拡大平面図
【図４】  本考案に用いるカロート蓋板の拡大正面図
【図５】  本考案に用いるカロート蓋板の拡大左側面図
【考案を実施するための最良の形態】
【０００７】  以下、本考案の実施形態について説明する。
図において、１は基部で、所定サイズの直方体形状部分である。２は基部の側部を構成する側方腰石、３は基部の後方を構成する後方腰石、４は基部前方に位置する階段状の前方石、５は前方石の両側に位置する門柱である。
上記の各腰石により囲まれる部分にはセメント注入固化によるセメント固化部６が形成されるが、その一部には空隙部分としてのカロート下部７が形成される。
セメント固化部の上方には敷石８が載置固定されて、この敷石８上面と各腰石上面は同一平面上にある。敷石８は分割された石板を当接コーキングして一体化される。【０００８】  １０は上台である。この上台は直方体形状石材であって、その内方の一部は空隙部が形成されてカロート上部１１となる。１２は上台上に固着立設される竿石である。
上台の中央前部には空隙開口部が形成され、この開口部の開閉を行う移動自在なるカロート蓋板１３が別途に設けられる。このカロート蓋板は、側面視Ｌ形の石板であり、その直立部中央には一対の指入れ穴１４が穿設される。
前記のカロート下部入り口は長方形状であり、その左右幅サイズはカロート蓋板左右幅より狭く形成される。カロート上部の左右幅はカロート下部幅と同サイズである。
また、カロート上部入り口部分の高さはカロート蓋板の高さより低く形成されている。
従って、このカロート蓋板をカロート上部と下部の入り口に当接した場合に、このカロート蓋板にてカロート入り口全体を塞ぐことができる。【０００９】  ２０は上台前方に位置する供物台で、正面視略コ字形の石板部分である。
この供物台には，観音開き方式の供物台扉２１が適宜支持部材を介して開閉可能に設けられる。なお、本案墓の構成物の一部として、花立て３０、墓誌３１が添設され、墓の適所にはサンドブラスト加工による飾り模様３２が形成される。【００１０】  次に、本案の使用について説明する。
カロートは図１〜図２にて示されるように、供物台扉を開けることにてその入り口箇所が露出する。カロート入り口に当接しているカロート蓋板を手前に引き出すことにてカロートは開口するので、ここから納骨をすることができる。納骨後は、カロート蓋板を再びカロート入り口にあてがい、カロート入り口は閉塞される。その後、供物台扉を閉めて作業は完了する。
本案によるカロート蓋板は、前記のごとくＬ形であるため、カロート上部とカロート下部の双方を同時に閉塞させることができる。上述構造のカロートのため、その入り口は斜方となってものを入れやすい構造となる。本例では，カロート蓋板に指入れ穴を設けており、ここに指を差し入れて容易に動かすことができる。【００１１】  以上、本案について記したが、既述のごとくカロートをＬ形の蓋板にて開閉ができ、また供物台内にこのカロート蓋板を収納でき、そのために外観的良好を得られるとともに、カロート入り口を雨風から保護できるところに本案の特徴がある。従来のカロート蓋板は重量のある平板であったので、種々の問題点を有していたが、本案によってこれが解消できるものとなったのである。
本例では、カロートを地上に位置させているが、必要に応じて地面を少し掘り込んで、設けてもよい。このカロートの内部幅はカロート入り口幅より大きく形成される。
なお、既述の例は実施の一例であり、近似の他の構成としてもよい。
以上のごとく，本案によって種々の利便性を有する墓石内カロートの開閉構造を得ることができる。
【符号の説明】
【００１２】  １  基部
２  側方腰石
３  後方腰石
４  前方石
５  門柱
６  セメント固化部
７  カロート下部
８  敷石
１０  上台
１１  カロート上部
１２  竿石
１３  カロート蓋板
１４  指入れ穴
２０  供物台
２１  供物台扉
３０  花立て
３１  墓誌
３２  飾り模様
【図１】
0003203181.tif 000003
【図２】
0003203181.tif 000004
【図３】
0003203181.tif 000005
【図４】
0003203181.tif 000006
【図５】
0003203181.tif 000007